(57)【要約】【課題】エリア毎の輝度を変調させることができ、しかも経年変化による発光むらを防止することができるバックライト装置及び該バックライト装置を備えた映像表示装置を提供する。【解決手段】並設された複数の発光部１２ａ，…と、各発光部１２ａ，…の輝度を示す輝度情報Ｙ１，Ｙ２，…ＹＮを逐次取得する取得手段とを備えるバックライト装置に、各発光部１２ａ，…の既発光量Ｌ１，Ｌ２，…を算出し、算出した既発光量Ｌ１，Ｌ２，…に基づいて、発光部１２ａ，…の既発光量の平均値ΣＬｉ／Ｎを算出し、平均値ΣＬｉ／Ｎ及び既発光量Ｌ１，Ｌ２，…を比較し、既発光量Ｌ１，Ｌ２，…が平均値ΣＬｉ／Ｎより大きい場合、輝度情報Ｙ１，Ｙ２，…ＹＮを減少させ、平均値ΣＬｉ／Ｎより小さい場合、輝度情報Ｙ１，Ｙ２，…ＹＮを増加させる発光むら防止演算部１０とを備える。また、前記バックライト装置を映像表示パネルの背面側に配する。【選択図】図１
2008096590.tif 000002
【特許請求の範囲】
【請求項１】
並設された複数の発光部と、該複数の発光部夫々の輝度を示す輝度情報を逐次取得する取得手段とを備え、取得された輝度情報に応じた輝度で各発光部を発光させるようにしてあるバックライト装置において、
前記発光部の発光時間を計時する計時手段と、
該計時手段の計時結果及び各発光部の輝度情報に基づいて、各発光部の既発光量を算出する算出手段と、
該算出手段が算出した既発光量に基づいて、前記複数の発光部の既発光量の平均値を算出する平均値算出手段と、
該平均値算出手段が算出した平均値及び前記発光部の既発光量を比較する比較手段と、
前記発光部の既発光量が平均値より大きい場合、前記取得手段によって取得された該発光部の輝度情報を減少させ、前記発光部の既発光量が平均値より小さい場合、前記輝度情報を増加させる輝度情報変更手段と
を備えることを特徴とするバックライト装置。
【請求項２】
前記既発光量は、
前記発光部の輝度情報及び該輝度情報が示す輝度で該発光部が発光した発光時間を乗算して得られる乗値を、逐次取得された輝度情報毎に積算した値である
ことを特徴とする請求項１に記載のバックライト装置。
【請求項３】
前記算出手段が算出した既発光量を記憶する不揮発性の記憶手段を備え、
前記平均値算出手段は、
前記記憶手段が記憶した既発光量に基づいて平均値を算出するようにしてあり、
前記比較手段は、
前記平均値算出手段が算出した平均値及び前記記憶手段が記憶した既発光量を比較するようにしてある
ことを特徴とする請求項１又は請求項２に記載のバックライト装置。
【請求項４】
請求項１乃至請求項３のいずれか一つに記載のバックライト装置と
透過型の映像表示パネルと、
映像信号に基づいて輝度情報を生成する輝度情報生成手段と
を備え、
前記バックライト装置は、
前記映像表示パネルの背面側に配されており、
前記取得手段は、
前記輝度情報生成手段が生成した輝度情報を取得するようにしてある
ことを特徴とする映像表示装置。
【発明の詳細な説明】
【技術分野】
【０００１】
本発明は、並設された複数の発光部を備え、逐次取得された輝度情報に応じた輝度で各発光部を発光させるようにしてあるバックライト装置及び該バックライト装置を備えた映像表示装置に関する。
【背景技術】
【０００２】
液晶パネル及びバックライト装置を備えた映像表示装置が実用化されている。また、エリアライト方式のＬＥＤ（Light Emitting Diode）バックライト装置によって液晶パネルを背面側から照明し、放送番組の映像を表示する映像表示装置が提案されている。
【０００３】
ＬＥＤバックライト装置は、縦横に並設された複数の白色発光ダイオードを有するＬＥＤマトリクスアレイ、及び各白色発光ダイオードの発光を制御するＬＥＤ制御部を備えている。
【０００４】
ＬＥＤ制御部は、順電流をパルス幅変調することによって各白色発光ダイオードの輝度を変調させるＰＷＭ（Pulse Width Modulation）回路を有しており、映像のコントラストを向上させるべく、映像に応じて各白色発光ダイオードの輝度を個別に又は所定のエリア毎に変調するように構成されている（例えば、特許文献１）。
【０００５】
特許文献１に係る映像表示装置は、映像信号を変調せず、白色発光ダイオードの輝度を変調させる構成であるため、階調不良による映像の劣化を招くことなく映像のコントラストを向上させることができる。
【特許文献１】特開２００６−３０５８８号公報
【発明の開示】
【発明が解決しようとする課題】
【０００６】
しかしながら、特許文献１に係る映像表示装置においては、各白色発光ダイオードの輝度を個別に変調させるため、既発光量がばらつき、経年変化による輝度及び色度の発光むらが生ずるという問題があった。
【０００７】
なお、映像表示装置に発光むらが生じた場合、外部装置を使用して映像表示面の輝度、色度等を測定し、測定結果に基づいて映像表示装置の発光むらを事後的に補正していた。
【０００８】
本発明は斯かる事情に鑑みてなされたものであり、各発光部の既発光量が均一になるように、各発光部の輝度を示す輝度情報を増減させることにより、発光部毎に輝度を変調させることができ、しかも経年変化による発光むらの発生を防止することができるバックライト装置及び該バックライト装置を備えた映像表示装置を提供することを目的とする。
【０００９】
本発明の他の目的は、発光部の輝度情報及び発光時間を乗算し、逐次取得された輝度情報毎に積算した値を既発光量として算出するように構成することにより、輝度又は発光時間に応じて経年変化が進行する各発光部の発光むらの発生を防止することができるバックライト装置及び該バックライト装置を備えた映像表示装置を提供することにある。
【００１０】
本発明の他の目的は、各発光部の既発光量を記憶する不揮発性の記憶手段を備えることにより、電源が遮断された場合であっても各発光部の既発光量を保持することができ、より正確に各発光部の既発光量を均一化して経年変化による発光むらの発生を防止することができるバックライト装置及び該バックライト装置を備えた映像表示装置を提供することにある。
【課題を解決するための手段】
【００１１】
本発明に係るバックライト装置は、並設された複数の発光部と、該複数の発光部夫々の輝度を示す輝度情報を逐次取得する取得手段とを備え、取得された輝度情報に応じた輝度で各発光部を発光させるようにしてあるバックライト装置において、前記発光部の発光時間を計時する計時手段と、該計時手段の計時結果及び各発光部の輝度情報に基づいて、各発光部の既発光量を算出する算出手段と、該算出手段が算出した既発光量に基づいて、前記複数の発光部の既発光量の平均値を算出する平均値算出手段と、該平均値算出手段が算出した平均値及び前記発光部の既発光量を比較する比較手段と、前記発光部の既発光量が平均値より大きい場合、前記取得手段によって取得された該発光部の輝度情報を減少させ、前記発光部の既発光量が平均値より小さい場合、前記輝度情報を増加させる輝度情報変更手段とを備えることを特徴とする。
【００１２】
本発明に係るバックライト装置は、前記既発光量が、前記発光部の輝度情報及び該輝度情報が示す輝度で該発光部が発光した発光時間を乗算して得られる乗値を、逐次取得された輝度情報毎に積算した値であることを特徴とする。
【００１３】
本発明に係るバックライト装置は、前記算出手段が算出した既発光量を記憶する不揮発性の記憶手段を備え、前記平均値算出手段は、前記記憶手段が記憶した既発光量に基づいて平均値を算出するようにしてあり、前記比較手段は、前記平均値算出手段が算出した平均値及び前記記憶手段が記憶した既発光量を比較するようにしてあることを特徴とする。
【００１４】
本発明に係る映像表示装置は、上述のいずれか一つのバックライト装置と透過型の映像表示パネルと、映像信号に基づいて輝度情報を生成する輝度情報生成手段とを備え、前記バックライト装置は、前記映像表示パネルの背面側に配されており、前記取得手段は、前記輝度情報生成手段が生成した輝度情報を取得するようにしてあることを特徴とする。
【００１５】
本発明にあっては、並設された複数の発光部は、取得手段によって取得された輝度情報に応じた輝度で夫々発光する。従って、各発光部を異なる輝度で発光させることができる。
計時手段は発光部の発光時間を計時しており、算出手段は計時手段の計時結果と、発光部の輝度情報に基づいて、各発光部の既発光量を算出する。既発光量は、各発光部の経年変化を示している。
平均値算出手段は各発光部の既発光量の平均値を算出し、比較手段は算出された平均値と、一の発光部の既発光量とを比較する。前記既発光量が平均値より大きい場合、一の発光部は、他の発光部に比べて経年変化が進行しており、前記既発光量が平均値より小さい場合、一の発光部は他の発光部に比べて経年変化が遅れていると判断できる。
そこで、輝度情報変更手段は、一の発光部の経年変化が進行している場合、つまり該発光部の既発光量が平均値より大きい場合、該発光部の輝度情報を減少させて、既発光量の増加を抑える。同様に、輝度情報変更手段は、一の発光部の経年変化が遅れている場合、つまり該発光部の既発光量が平均値より小さい場合、該発光部の輝度情報を増加させて、既発光量を増加させる。比較手段及び輝度情報変更手段は、他の発光部についても同様の処理を行う。
従って、各発光部は、既発光量が平均値に近づくように発光する。
【００１６】
一方、上述のバックライト装置を透過型の映像表示パネルの背面側に配してなる映像表示装置にあっては、輝度情報生成手段が映像信号に基づいて輝度情報を生成し、前記バックライト装置は生成された輝度情報を取得して、映像表示パネルを背面側から照明する。
従って、映像の画質を向上させつつ、経年変化による映像の色むらの発生を防止することができる。
【００１７】
本発明にあっては、算出手段は、発光部の輝度情報と、該輝度情報が示す輝度で該発光部が発光した発光時間とを乗算し、乗算して得られた乗値を、取得された輝度情報毎に積算することにより既発光量を算出する。
従って、発光時間が長い程又は輝度が高い程、発光部の経年変化が進行する場合、前記既発光量によって発光部の経年変化を示すことができる。
【００１８】
本発明にあっては、算出手段が算出した既発光量を記憶手段が記憶する。そして、記憶手段が記憶している既発光量に基づいて、平均値算出手段は平均値を算出し、比較手段は平均値及び既発光量を比較する。記憶手段は、不揮発性であるため、電力の供給が遮断された場合であっても、各発光部の既発光量を保持する。
従って、記憶手段を備えない場合に比べ、各発光部の既発光量をより正確に均一にすることができる。
【発明の効果】
【００１９】
本発明によれば、発光部毎に輝度を変調させることができ、しかも経年変化による発光むらの発生を防止することができる。
【００２０】
本発明によれば、輝度又は発光時間に応じて経年変化が進行する各発光部の発光むらの発生を防止することができる。
【００２１】
本発明によれば、電源が遮断された場合であっても各発光部の既発光量を保持することができ、より正確に各発光部の既発光量を均一化して経年変化による発光むらの発生を防止することができる。
【発明を実施するための最良の形態】
【００２２】
以下、本発明をその実施の形態を示す図面に基づいて詳述する。
（実施の形態１）
図１は、本発明の実施の形態１に係るＬＥＤバックライト装置の構成を示すブロック図である。図中１は、本発明の実施の形態１に係るエリアライト方式のＬＥＤバックライト装置であり、ＬＥＤバックライト装置１は、図示しない透過型の映像表示パネルの背面側に配されるＬＥＤマトリクスアレイ１２及びＬＥＤ制御部１１を備えている。
【００２３】
図２は、ＬＥＤマトリクスアレイ１２を模式的に示す正面図である。
ＬＥＤマトリクスアレイ１２は、縦横に並設された第１乃至第Ｎ発光部１２ａ，…（但し、Ｎは２以上の自然数）を備えている。第１乃至第Ｎ発光部１２ａ，…は、夫々複数の白色発光ダイオードを備えており、第１乃至第Ｎ発光部１２ａ，…には、白色発光ダイオードの順電流をパルス幅変調することによって各発光部１２ａ，…の輝度を変調させるＬＥＤ制御部１１が接続されている。
具体的には、白色発光ダイオードのアノードは図示しない電源ラインに順方向接続され、白色発光ダイオードのカソードには電気抵抗器及びスイッチングトランジスタが直列接続されている。スイッチングトランジスタのコレクタは電気抵抗器を介して白色発光ダイオードのカソードに接続され、エミッタは接地されている。また、スイッチングトランジスタのベースには、ＬＥＤ制御部１１が接続されている。
【００２４】
ＬＥＤ制御部１１は、各スイッチングトランジスタをオン／オフさせるＰＷＭ回路にて構成されており、各発光部１２ａ，…の輝度を示す後述の輝度情報Ｙ１’，Ｙ２’，…，ＹＮ’に応じたデューティ比で、第１乃至第Ｎ発光部１２ａ，…の白色発光ダイオードを流れる順電流を夫々パルス幅変調することにより、第１乃至第Ｎ発光部１２ａ，…の輝度を変調する。
【００２５】
また、ＬＥＤバックライト装置１は、ＬＥＤ制御部１１に接続された発光むら防止演算部１０、並びに発光むら防止演算部１０に接続された計時部１４及び記憶部１３を備えている。
【００２６】
計時部１４は、第１乃至第Ｎ発光部１２ａ，…の発光時間ΔＴを計時し、計時した発光時間ΔＴを発光むら防止演算部１０に与える。
【００２７】
発光むら防止演算部１０は、例えばマイクロコンピュータからなり、バスで接続されたＣＰＵ、ＲＯＭ、ＲＡＭ、入出力部等を備えている。
入出力部には、第１乃至第Ｎ発光部１２ａ，…の輝度を示す輝度情報Ｙ１，Ｙ２，…，ＹＮが入力するように構成されている。輝度情報Ｙ１，Ｙ２，…，ＹＮは、例えば外部の液晶パネルコントローラから出力される情報である。
ＲＯＭは、第１乃至第Ｎ発光部１２ａ，…の経年変化を均一化して発光むらを防止するためのコンピュータプログラムを記憶している。
ＣＰＵは、発光むらの発生を防止すべく、ＲＯＭから前記コンピュータプログラムをＲＡＭに読み出して実行することにより、入出力部に逐次入力された輝度情報Ｙ１，Ｙ２，…，ＹＮを輝度情報Ｙ１’，Ｙ２’，…，ＹＮ’に変更し、変更された輝度情報Ｙ１’，Ｙ２’，…，ＹＮ’をＬＥＤ制御部１１に出力する。また、ＣＰＵは、第１乃至第Ｎ発光部１２ａ，…の経年変化を示す既発光量Ｌ１，Ｌ２，…，ＬＮを算出し、算出した既発光量Ｌ１，Ｌ２，…，ＬＮを記憶部１３に出力する。第１発光部１２ａの既発光量Ｌ１は、第１発光部１２ａの輝度情報Ｙ’と、該輝度情報Ｙ１’が示す輝度で第１発光部１２ａが発光した発光時間ΔＴとを乗算し、乗算して得た乗値Ｙ１’×ΔＴを積算した数値ΣＹ１’×ΔＴである。他の第２乃至第Ｎ発光部１２ａ，…の既発光量Ｌ２，…，ＬＮも同様に算出される。
【００２８】
記憶部１３は、不揮発性の半導体メモリであり、発光むら防止演算部１０から出力された第１乃至第Ｎ発光部１２ａ，…の既発光量Ｌ１，Ｌ２，…，ＬＮを夫々記憶する。また、発光むら防止演算部１０の制御によって既発光量Ｌ１，Ｌ２，…，ＬＮが読み出されるように構成されている。なお、初期状態における記憶部１３は既発光量Ｌ１，Ｌ２，…，ＬＮとして０の値を記憶している。
【００２９】
図３及び図４は、発光むらの発生防止に係る発光むら防止演算部１０の処理手順を示すフローチャートである。輝度情報Ｙ１，Ｙ２，…，ＹＮが入力された場合、発光むら防止演算部１０は、入力された輝度情報Ｙ１，Ｙ２，…，ＹＮを取得する（ステップＳ１１）。そして、発光むら防止演算部１０は、記憶部１３から既発光量Ｌ１，Ｌ２，…，ＬＮを読み出す（ステップＳ１２）。
【００３０】
次いで、発光むら防止演算部１０は、既発光量Ｌ１，Ｌ２，…，ＬＮの平均値ΣＬｉ／Ｎを算出する（ステップＳ１３）。但し、ｉは、各発光部１２ａ，…を示している。具体的には、発光むら防止演算部１０は、（Ｌ１＋Ｌ２＋…＋ＬＮ）／Ｎを算出する。そして、発光むら防止演算部１０は、第１乃至第Ｎ発光部１２ａ，…を示すための変数ｊに１を代入する（ステップＳ１４）。
【００３１】
次いで、発光むら防止演算部１０は、既発光量Ｌｊが平均値ΣＬｉ／Ｎより大きいか否かを判定する（ステップＳ１５）。既発光量Ｌｊが平均値ΣＬｉ／Ｎより大きいと判定した場合（ステップＳ１５：ＹＥＳ）、発光むら防止演算部１０は、輝度情報Ｙｊ及び０．９９を乗算した輝度情報Ｙｊ’＝Ｙｊ×０．９９を算出する（ステップＳ１６）。つまり、発光むら防止演算部１０は、輝度情報Ｙｊを１％減少させる。
【００３２】
次いで、発光むら防止演算部１０は、輝度情報Ｙｊ’が所定の最小輝度より小さいか否かを判定する（ステップＳ１７）。輝度情報Ｙｊ’が最小輝度より小さいと判定した場合（ステップＳ１７：ＹＥＳ）、発光むら防止演算部１０は、輝度情報Ｙｊ’に最小輝度を代入する（ステップＳ１８）。
【００３３】
ステップＳ１５で既発光量Ｌｊが平均値ΣＬｉ／Ｎより大きくないと判定した場合（ステップＳ１５：ＮＯ）、発光むら防止演算部１０は、既発光量Ｌｊが平均値ΣＬｉ／Ｎより小さいか否かを判定する（ステップＳ１９）。既発光量Ｌｊが平均値ΣＬｉ／Ｎより小さいと判定した場合（ステップＳ１９：ＹＥＳ）、発光むら防止演算部１０は、輝度情報Ｙｊ及び１．０１を乗算した輝度情報Ｙｊ’＝Ｙｊ×１．０１を算出する（ステップＳ２０）。つまり、発光むら防止演算部１０は、輝度情報Ｙｊを１％増加させる。
【００３４】
次いで、発光むら防止演算部１０は、輝度情報Ｙｊ’が所定の最大輝度より大きいか否かを判定する（ステップＳ２１）。輝度情報Ｙｊ’が最大輝度より大きいと判定した場合（ステップＳ２１：ＹＥＳ）、発光むら防止演算部１０は、輝度情報Ｙｊ’に最大輝度を代入する（ステップＳ２２）。
【００３５】
ステップＳ１９で既発光量Ｌｊが平均値ΣＬｉ／Ｎより小さくないと判定した場合（ステップＳ１９：ＮＯ）、発光むら防止演算部１０は、輝度情報Ｙｊ及び１．００を乗算した輝度情報Ｙｊ’＝Ｙｊ×１．００を算出する（ステップＳ２３）。
【００３６】
ステップＳ１８、ステップＳ２２若しくはステップＳ２３の処理を終えた場合、輝度情報Ｙｊ’が最小輝度より小さくないと判定した場合（ステップＳ１７：ＮＯ）、輝度情報Ｙｊ’が最大輝度より大きくないと判定した場合（ステップＳ２１：ＮＯ）、発光むら防止演算部１０は、輝度情報Ｙｊ’をＬＥＤ制御部１１に出力する（ステップＳ２４）。
【００３７】
次いで、発光むら防止演算部１０は、輝度情報Ｙｊ’及び発光時間ΔＴを乗算した乗値Ｙｊ’×ΔＴを、ステップＳ１２で読み出した既発光量Ｌｊに積算する（ステップＳ２５）。つまり、Ｌｊ＋Ｙｊ’×ΔＴを算出し、算出した値を既発光量Ｌｊに代入する。そして、発光むら防止演算部１０は、積算後の既発光量Ｌｊを記憶部１３に出力して書き込む（ステップＳ２６）。
【００３８】
次いで、発光むら防止演算部１０は、ｊ及びＮが等しいか否かを判定する（ステップＳ２７）。ｊ及びＮが等しくないと判定した場合（ステップＳ２７：ＮＯ）、発光むら防止演算部１０は、ｊに１を加算し（ステップＳ２８）、処理をステップＳ１５へ戻す。ｊ及びＮが等しいと判定した場合（ステップＳ２７：ＹＥＳ）、発光むら防止演算部１０は、発光むらの発生防止に係る処理を終える。
【００３９】
このように構成されたＬＥＤバックライト装置１の作用を説明する。
発光むら防止演算部１０は、輝度情報Ｙ１，Ｙ２，…，ＹＮを取得した場合、ステップＳ１２及びステップＳ１３の処理によって、記憶部１３から既発光量Ｌ１，Ｌ２，…，ＬＮを読み出して、既発光量Ｌ１，Ｌ２，…，ＬＮの平均値ΣＬｉ／Ｎを算出する。既発光量Ｌ１，Ｌ２，…，ＬＮは、第１乃至第Ｎ発光部１２ａ，…の経年変化を示している。平均値ΣＬｉ／Ｎは、ＬＥＤマトリクスアレイ１２全体、つまり第１乃至第Ｎ発光部１２ａ，…の経年変化の平均を示している。
【００４０】
次いで、発光むら防止演算部１０は、一の第ｊ発光部１２ａを発光させる際、ステップＳ１５乃至２３の処理によって、第ｊ発光部１２ａの既発光量Ｌｊと平均値ΣＬｉ／Ｎとを比較し、既発光量Ｌｊが平均値ΣＬｉ／Ｎより大きい場合、輝度情報Ｙｊを１％減少させ、既発光量Ｌｊが平均値ΣＬｉ／Ｎより小さい場合、輝度情報Ｙｊを１％増加させる。また、発光むら防止演算部１０は、輝度情報Ｙｊが所定の最大輝度を超え、又は所定の最小輝度未満にならないように、輝度情報Ｙｊを増減させる。
【００４１】
そして、発光むら防止演算部１０は、増減された輝度情報Ｙｊ’をＬＥＤ制御部１１に出力することによって、第ｊ発光部１２ａを輝度情報Ｙｊ’に応じた輝度で発光させる。
【００４２】
従って、第ｊ発光部１２ａの既発光量Ｌｊが平均値ΣＬｉ／Ｎに近づくように第ｊ発光部１２ａの輝度が増減し、発光むらの発生が防止される。
【００４３】
図５は、白色光の輝度に対する人の階調弁別閾を示す対数グラフ（G.Wyszecki and W.S.Stiles：Color Science : Concepts and Methods, Quantitative Data and Formulae, 2nd. Edition, John Wiley & Sons (1982)）である。横軸は白色光の輝度Ｙを、縦軸は人が明るさを弁別できる輝度差ΔＹ／Ｙを示している。第１乃至第Ｎ発光部１２ａ，…の最大輝度が１０００（ｃｄ／ｍ2 ）以下である場合、人は、図５に示すように１％未満の輝度差ΔＹ／Ｙを弁別できない。
【００４４】
従って、発光むら防止演算部１０が発光むらを防止するための輝度情報を１％増加又は減少させた場合であっても、人は第１乃至第Ｎ発光部１２ａ，…の輝度の変化を弁別できないため、映像が破綻することはない。
【００４５】
以上より、実施の形態１に係るＬＥＤバックライト装置１にあっては、第１乃至第Ｎ発光部１２ａ，…の輝度を個別に変調させることができ、しかも映像を破綻させることなく経年変化による各発光部１２ａ，…の発光むらの発生を防止することができる。
【００４６】
また、既発光量ΣＹｉ’×ΔＴによって、第１乃至第Ｎ発光部１２ａ，…の経年変化を判定するため、輝度又は発光時間に応じて経年変化が進行する第１乃至第Ｎ発光部１２ａ，…の発光むらの発生を防止することができる。
【００４７】
更に、電源が遮断された場合であっても各発光部１２ａ，…の既発光量を記憶部１３に保持することができ、より正確に各発光部１２ａ，…の既発光量を均一化して経年変化による発光むらの発生を防止することができる。
【００４８】
なお、実施の形態１にあっては、複数の白色発光ダイオードからなる第１乃至第Ｎ発光部毎に輝度を増減する場合を説明したが、白色発光ダイオード毎に輝度を増減するように構成しても良い。
【００４９】
また、白色発光ダイオードを備えるＬＥＤバックライト装置を説明したが、赤・緑・青のような有色の発光ダイオードを備えるＬＥＤバックライトに本発明を適用しても良い。
【００５０】
更にまた、輝度情報と発光時間とを乗算し、乗算して得た値を積算した値を既発光量として算出する実施の形態を説明したが、第１乃至第Ｎ発光部の既発光量を示すことができる情報であれば、他の情報であっても良い。例えば、一定時間間隔で輝度情報が発光むら演算部に入力するような場合、逐次取得された輝度情報を単純に積算した値を既発光量として算出するように構成しても良い。
【００５１】
更にまた、発光むらを防止すべく輝度情報を１％増減するように構成してあるが、映像が破綻しない他の割合で輝度情報を増減するように構成しても良い。
【００５２】
（実施の形態２）
図６は、本発明の実施の形態２に係る映像表示装置の構成を示すブロック図である。実施の形態２に係る映像表示装置は、実施の形態１に係るＬＥＤバックライト装置１を有する映像表示ユニット３、受信処理ユニット２、スピーカ４、制御部５を備えており、第１乃至第Ｎ発光部１２ａ，…の輝度を映像に応じて変調させることで映像のコントラストを向上させることができ、しかもＬＥＤバックライト装置１の経年変化による発光むらの発生を防止することができるように構成されている。
【００５３】
制御部５は、ＣＰＵ、ＲＯＭ、ＲＡＭ等を備えたマイクロコンピュータからなり、制御部５には遠隔操作装置６ａから送信される赤外光の信号を受信する受信部６ｂが接続されている。制御部５は、受信部６ｂが受信した信号に応じて、受信処理ユニット２の各構成部の動作を制御するように構成されている。
【００５４】
受信処理ユニット２は、デジタルチューナ２１、復調部２２、分離部２３、ビデオデコーダ２４、音声デコーダ２５及びビデオデータ処理部２６を備えている。
【００５５】
デジタルチューナ２１は、アンテナＡで受信したＲＦ信号を増幅し、制御部５によって指定された特定チャンネルの信号を選択する。そして、デジタルチューナ２１は、選択した信号を復調部２２に与える。
【００５６】
デジタルチューナ２１から与えられた信号は、ＯＦＤＭ（Orthogonal Frequency Division Multiplexing）方式で変調されており、復調部２２は、前記信号を、ＭＰＥＧ２ＴＳ（Transport Stream）形式のストリームデータに復調し、復調したストリームデータを分離部２３に与える。
【００５７】
ＴＳ形式のストリームデータは、複数のパケットから構成されている。パケットは、番組の映像及び音声を構成する時系列順のビデオデータ及び音声データ等をパケット化したものであり、複数のパケットから、時系列順のビデオデータ及び音声データが復元される。
【００５８】
分離部２３は、ストリームデータから一の番組のビデオデータ及び音声データに係るパケットを選択し、選択したパケットからなるビデオデータ及び音声データを、夫々図示しないビデオバッファ及び音声バッファに与える。ビデオバッファ及び音声バッファは、分離部２３から与えられたビデオデータ及び音声データを夫々所定のタイミングでビデオデコーダ２４及び音声デコーダ２５に与える。
【００５９】
音声デコーダ２５は、音声バッファから与えられた音声データを、所定の圧縮伸張方式、例えばＡＡＣ（Advanced Audio Coding）の圧縮伸張方式に従って復調し、復調した音声データを、所定のタイミングでスピーカ４に与える。
【００６０】
スピーカ４は、音声デコーダ２５から与えられた音声データに基づいて、音声を出力する。
【００６１】
ビデオデコーダ２４は、ビデオバッファから与えらたビデオデータを、ＭＰＥＧ２の圧縮伸張方式に従って復調し、復調したビデオデータをビデオデータ処理部２６に与える。
【００６２】
ビデオデータ処理部２６は、ビデオデコーダ２４から与えられたビデオデータに各種エフェクト処理を施し、エフェクト処理されたビデオデータを所定のタイミングで映像表示ユニット３に与える。
【００６３】
映像表示ユニット３は、液晶パネルコントローラ（輝度情報生成手段）３１、液晶パネル駆動部３２、液晶パネル（映像表示パネル）３３及びＬＥＤバックライト装置１を備えている。
【００６４】
液晶パネルコントローラ３１は、ビデオデータ処理部２６から与えられたビデオデータに基づいて、液晶パネル３３を駆動するためのＲＧＢ信号及び同期信号を生成し、生成したＲＧＢ信号及び同期信号を液晶パネル駆動部３２に与える。
また、液晶パネルコントローラ３１は、ビデオデータに基づいて、ＬＥＤマトリクスアレイ１２を構成する第１乃至第Ｎ発光部１２ａ，…夫々の輝度を示す輝度情報Ｙ１，Ｙ２，…，ＹＮを生成し、輝度情報Ｙ１，Ｙ２，…，ＹＮをＬＥＤバックライト装置１に与える。
【００６５】
液晶パネル駆動部３２は、液晶パネル３３をアクティブマトリクス駆動するソースドライバ及びゲートドライバ等を有しており、ＲＧＢ信号及び同期信号に基づいて映像を液晶パネル３３に表示させる。
【００６６】
ＬＥＤバックライト装置１は、液晶パネルコントローラ３１が生成した輝度情報Ｙ１，Ｙ２，…，ＹＮを取得して、図３及び図４に示した処理を実行する。
【００６７】
このように構成された映像表示装置にあっては、第１乃至第Ｎ発光部１２ａ，…の輝度を個別に変調させることにより映像の画質を向上させ、しかも映像を破綻させることなく、経年変化による各発光部１２ａ，…の発光むら、つまり映像の色むらの発生を防止することができる。
【００６８】
なお、実施の形態２に係るＬＥＤバックライトの構成、作用及び効果は、実施の形態１に係るＬＥＤバックライトの構成、作用及び効果と同様であるため、対応する箇所には同様の符号を付して詳細な説明を省略する。
【図面の簡単な説明】
【００６９】
【図１】本発明の実施の形態１に係るＬＥＤバックライト装置の構成を示すブロック図である。
【図２】ＬＥＤマトリクスアレイを模式的に示す正面図である。
【図３】発光むらの発生防止に係る発光むら防止演算部の処理手順を示すフローチャートである。
【図４】発光むらの発生防止に係る発光むら防止演算部の処理手順を示すフローチャートである。
【図５】白色光の輝度に対する人の階調弁別閾を示す対数グラフである。
【図６】本発明の実施の形態２に係る映像表示装置の構成を示すブロック図である。
【符号の説明】
【００７０】
１  ＬＥＤバックライト装置
２  受信処理ユニット
３  映像表示ユニット
４  スピーカ
５  制御部
１０  発光むら防止演算部
１１  ＬＥＤ制御部
１２ａ  第１乃至第Ｎ発光部
１２  ＬＥＤマトリクスアレイ
１３  記憶部
１４  計時部
２１  デジタルチューナ
２２  復調部
２３  分離部
２４  ビデオデコーダ
２５  音声デコーダ
２６  ビデオデータ処理部
３１  液晶パネルコントローラ
３２  液晶パネル駆動部
３３  液晶パネル
Ａ  アンテナ
Ｌ１，Ｌ２，…，ＬＮ  既発光量
Ｙ１，Ｙ２，…，ＹＮ  輝度情報
Ｙ１’，Ｙ２’，…，ＹＮ’  輝度情報
【図１】
2008096590.tif 000003
【図２】
2008096590.tif 000004
【図３】
2008096590.tif 000005
【図４】
2008096590.tif 000006
【図５】
2008096590.tif 000007
【図６】
2008096590.tif 000008